(57)【要約】【課題】カートリッジタンク内の燃油がなくなることで、対震消火装置を作動させて自動消火させて臭気発生の燃焼が継続することを防止する芯上下式石油ストーブを提供する。【解決手段】燃料タンク１９内に昇降可能に設けた灯芯１２を上下動させる芯上下手段と、上昇させた灯芯１２を降下方向へ附勢するバネ４８と、このバネ４８のバネ力に抗して灯芯１２を上昇位置で保持するロック金具５２と、地震発生等の非常時にこのロック金具５２を解除して灯芯１２を降下させる対震消火装置１４と、前記燃料タンク１９の給油口２２に備えたピン２３を口金２６の弁体２５に挿入して燃料タンク１９に燃油を供給するカートリッジタンク１０と、このカートリッジタンク１０の重量を感知して燃油切れで前記対震消火装置１４を作動させて消火するようにしたので、安全で安心して使用出来る芯上下式石油ストーブを提供出来るものである。【選択図】図２
2007024393.tif 000002
【特許請求の範囲】
【請求項１】
燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの重量を感知して燃油切れで前記対震消火装置を作動させて消火する事を特徴とする芯上下式石油ストーブ。
【請求項２】
燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、前記燃料タンク内の燃油量を検知する燃油量検知手段を備え、燃油量が所定値以下に低下した時には、前記対震消火装置を作動させて消火する事を特徴とする芯上下式石油ストーブ。
【発明の詳細な説明】
【技術分野】
【０００１】
この発明は、灯芯を上下動させて火力調節可能な芯上下式石油ストーブに関するものである。
【背景技術】
【０００２】
従来よりこの種のものでは、カートリッジタンク内に貯留される燃油量によって、給油表示したり、カートリッジタンクの抜き去り時に、対震自動消火装置を作動させて消火させて、利便性と安全性を計るものであった。
【特許文献１】特公平７−１０８５号公報
【発明の開示】
【発明が解決しようとする課題】
【０００３】
ところでこの従来のものでは、カートリッジタンクを抜き去れば消火するが、給油せずにカートリッジタンクをそのままの状態にしておいても消火はされず、燃焼が継続されて燃料がなくなり自然に消火するまで気づかないと言うことが多々あり、この間の燃焼は燃料が徐々に減少するので、良い燃焼とは言えず、臭気も発生するものであった。
【課題を解決するための手段】
【０００４】
この発明はこの点に着目し、上記欠点を解決する為、特に請求項１ではその構成を、燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの重量を感知して燃油切れで前記対震消火装置を作動させて消火するようにしたものである。
【０００５】
又請求項２では、燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、前記燃料タンク内の燃油量を検知する燃油量検知手段を備え、燃油量が所定値以下に低下した時には、前記対震消火装置を作動させて消火するようにしたものである。
【発明の効果】
【０００６】
この発明の請求項１によれば、灯芯式の石油ストーブに於いて、燃油切れをカートリッジタンクの重量で感知して、対震消火装置を利用して消火させるものであり、カートリッジタンクが空となっても、本体側の燃料タンクの残油や灯芯に含浸した燃油で燃焼が継続して、残油がなくなり消火して始めて知ると言うことがなく、この間の燃焼で完全燃焼が得られずに臭気が発生すると言う不具合を解消出来、安全で安心して使用出来る芯上下式石油ストーブを提供出来るものである。
【０００７】
又請求項２によれば、燃料タンク内の燃油量を直接検知し、所定値以下に低下することにより、対震消火装置を作動させて消火するので、燃油量が確実に少なくなると消火され、カートリッジタンクが空となっても、本体側の燃料タンクの残油や灯芯に含浸した燃油で燃焼が継続して、残油がなくなり消火して始めて知ると言うことがなく、この間の燃焼で完全燃焼が得られずに臭気が発生すると言う不具合を解消出来、安全で安心して使用出来る芯上下式石油ストーブを提供出来るものである。
【発明を実施するための最良の形態】
【０００８】
次にこの発明に係る芯上下式石油ストーブを図面に示された一実施例で説明する。
１は芯上下式石油ストーブの枠体で、底面の下皿２と背面及び左右の側面を覆う側板３と前面下部の前板４と上面の天板５によって横長方形状の筐体を形成し、内部に燃油を燃焼する燃焼筒６等を備え、前面中央から上部の開口部７から赤熱した前記燃焼筒６によって輻射熱を放出し、前記天板５中央の多数の長穴８より燃焼筒６の熱気を上方に放出して室内を暖房するものである。
【０００９】
９は前記天板５の右端部に設けたタンク装着口（図示せず）を覆うタンク蓋で、燃油供給の際に開口してカートリッジタンク１０の着脱を行うものである。
１１は前面中央やや下部に設けた芯上下ハンドルで、回動によって内部の灯芯１２の上下動を行うものであり、この芯上下ハンドル１１の上方には押圧によって点火装置（図示せず）の操作を行う点火窓１３が設けられ、この点火窓１３の右隣には燃焼時の押圧によって前記灯芯１２が素早く下降して瞬時に消火動作を行うように、対震消火装置１４の操作をする緊急消火窓１５を備えている。また前記芯上下ハンドル１１の右側には燃油の残量が少なくなった場合に、表示の色が変わったり、「給油」等の文字が表示されたりして使用者に燃油切れや給油の必要を知らせる給油表示窓１６を設けている。
【００１０】
前記開口部７を除く燃焼筒６の周りは、前方向に輻射熱を反射するための輻射板１７によって囲まれ、開口部７は多数の金属棒で構成されるガード枠１８によって保護されている。
前記下皿２上の枠体１内部には燃油を貯える燃料タンク１９がネジ等（図示せず）によって固定されている。この燃料タンク１９は左側上面の燃焼部２０と右側上面の前記カートリッジタンク１０の装着部２１から成り、この装着部２１の右端には円形の給油口２２を開口しており、この給油口２２にはカップ状の底面中央から金属のピン２３を立設し、側面には燃油を通過する穴を備えた燃油受２４にて給油口２２を覆っている。
【００１１】
前記燃油受２４の上方には縦長方形の前記カートリッジタンク１０が備えられ、このカートリッジタンク１０の底面には中央に弁体２５を形成した口金２６が螺合され、上面には持ち運び用の取手２７を備えている。また前記燃油受２４にカートリッジタンク１０の口金２６をセットする事により、前記ピン２３が弁体２５を押し上げて、カートリッジタンク１０内の燃油が燃油受２４から燃料タンク１９内に流れ込むものである。
【００１２】
２８は前記給油口２２近傍に設けられたコの字型の支点金具で、前記燃料タンク１９の上面にネジ止め又はスポット溶接等によって固定され、左右の軸穴２９と作動金具３０の軸穴３１及びバネ部材３３を重ね、軸３４を挿入することにより、この軸３４を支点として前記作動金具３０が上向き方向のバネ力を受けながら回動する軸支部３５を構成する。
【００１３】
前記作動金具３０は略十字形の腕の後側一端に前記軸穴３１を、前側の腕には前記給油表示窓１６に対応する給油表示部３６を、右側の腕には前記カートリッジタンク１０との連接部３７を、左側の腕には給油消火部３８を備えている。
【００１４】
３９は前記燃料タンク１９の燃焼部２０中央に燃料タンク１９底面から立設された芯案内パイプで、この芯案内パイプ３９の周囲に沿って芯止め金具４０で上下動自在に前記灯芯１２が設けられている。
【００１５】
４１は前記灯芯１２と芯案内パイプ３９の周囲を覆う芯案内筒で、前記燃料タンク１９上面に固定された３本のボルト４２とナット（図示せず）によってネジ止めされる。またこの芯案内筒４１と芯案内パイプ３９の上端には前記燃焼筒６が載置され灯芯１２によって燃料タンク１９から吸い上げた燃油を芯案内パイプ３９と芯案内筒４１との隙間にて蒸発させ燃焼筒６内で燃焼する。
【００１６】
前記芯上下ハンドル１１は円盤状で、背面の中心に備えた突部４３に芯上下軸４４を挿入し回転により芯の上下をするものである。前記芯上下軸４４の先端には、前記芯止め金具４０のラック４５と噛み合う歯車４６が前記燃料タンク１９前面の穴４７の内側に設けられ、芯上下軸４４の中間部で前記穴４７の前方には灯芯１２を下降方向に附勢するバネ４８とこのバネ４８に反して芯上下軸４４の回転をロックして灯芯１２の下降を阻止するロックギア４９を備えている。
【００１７】
前記対震消火装置１４は地震発生時に地震の揺れを感知するための重り５０と、この重り５０を乗せる重り台５１と、ロック金具５２から成り、このロック金具５２は軸５３にて重り台５１に回動自在に取り付けられ、係止ロット５４が前記ロックギア４９に係止し、前記重り５０の足部５５が重り台５１の穴５６とロック金具５２の穴５７を貫通し、重り５０の揺れをロック金具５２に伝え、ロックギア４９を解除して灯芯１２を一度に下降するものである。
【００１８】
前記作動金具３０の連接部３７は上方に向かって１５°傾斜し、満量状態のカートリッジタンク１０の装着によって、タンク１０底面と接触し作動金具３０と共に下方に押し下げられる先端の第１接触部５８と、カートリッジタンク１０の空量状態で該タンク１０を持ち上げながら作動金具３０が軸支部３５を支点に１５°回動することで、連接部３７が水平になりタンク１０底面とは、連接部３７後端の第２接触部５９で接触するようにしている。
【００１９】
更にこの第１接触部５８と回動中心となる軸支部３５までの距離Ａと、第２接触部５９と軸支部３５までの距離Ｂとでは、距離Ｂの方が長くなるようにすることで、カートリッジタンク１０を持ち上げようとするモーメントは第２接触部５９の方が弱くなり、タンク１０を持ち上げる力が減少して給油表示が安定するものである。
【００２０】
また前記給油表示部３６は、燃油の十分入ったカートリッジタンク１０の重量で押し下げられている場合、給油表示窓１６からは白又は茶色等の前記前板４と同系の色彩であまり目立たない色の表示を行い、満タンで約５リットルのタンク１０内の燃油が燃焼により減少し残量が約１．５リットルになると前記バネ部材３３の力がタンク１０の重量と釣り合い、以後徐々に作動金具３０は上昇方向に回動を始め、残量が約１リットルになると「給油」の文字表示や赤色等の目立つ表示が少しずつ見え始め、残量が約０．５リットルになると「給油」等の表示がすべて表れ、そして空になると、作動金具３０が更に上方向に回動し、給油消火部３８が前記対震消火装置１４のロック金具５２を押し上げてロックが外れ、前記灯芯１２が下降することにより消火を行うものである。
【００２１】
次にこの一実施形態の作動について説明する。
芯上下ハンドル１１を右側に回して灯芯１２を上昇し、点火窓１３より点火装置を押圧すれば、灯芯１２にしみ込んだ燃油に火がついて燃焼が開始される。消火する時は、芯上下ハンドル１１を左側に回せば灯芯１２が下降し燃焼を停止する。また緊急消火窓１５から対震消火装置１４の重り５０を押圧して転倒すればロック金具５２が回動し、係止ロット５４がロックギア４９から外れてバネ４８の力で瞬時に灯芯１２が下降し燃焼を停止する。
【００２２】
燃焼中に燃油が減少し残量が約１．５リットルになるまでは、カートリッジタンク１０の底面が作動金具３０の第１接触部５８を押圧して該作動金具３０が下げられている、そして残量が約１．５リットルになるとバネ部材３３の力がタンク１０の重量と釣り合い、以後燃油消費に応じて徐々に作動金具３０は上昇方向に回動を始め、残量が約１リットルになると給油表示窓１６の表示が「給油」の文字表示や赤色等の目立つ表示が少しずつ見え始め、残量が約０．５リットルになると「給油」等の表示がすべて表れ、空になるまで表示は「給油」を維持する。
【００２３】
この時、図６に示すようにカートリッジタンク１０の底面とは第１接触部５８で連接していた作動金具３０が、タンク１０の空量状態と共に図７に示すように、第２接触部５９による連接に変わり、作動金具３０はモーメントに関係なくバネ部材３３の反発力で勢い良く回動して、給油消火部３８が前記対震消火装置１４のロック金具５２を押し上げてロックが外れ、前記灯芯１２が下降することで確実に消火が行われ安全が確保されるものである。
【００２４】
従って、カートリッジタンク１０が空になれば、作動金具３０で対震消火装置１４で灯芯１２を急降下させて消火するので、燃油切れをカートリッジタンク１０の重量で感知して、対震消火装置１４を利用して消火させるものであり、カートリッジタンク１０が空となっても、本体側の燃料タンク１９の残油や灯芯１２に含浸した燃油で燃焼が継続して、残油がなくなり消火して始めて知ると言うことがなく、この間の燃焼で完全燃焼が得られずに臭気が発生すると言う不具合を解消出来、安全で安心して使用出来る芯上下式石油ストーブを提供出来るものである。
【００２５】
次に図８に示す他の実施形態について説明すれば、乾電池６０を電源とする電気回路を構成し、点火ヒータ６１と点火レバー６２の直列回路と、燃料タンク１９に備えられた燃油量検知手段としてのフロートスイッチ６３によって制御される、キャンセルスイッチ６４と対震消火装置１４の作動で開成されるＯＦＦスイッチ６５と対震消火装置１４を作動させるモータ６６の直列回路、発光ダイオードから成る給油サイン６７が接続されている。
【００２６】
又この実施形態の作動は、燃料タンク１９内の燃油量が空の所定値以下となった事を、フロートスイッチ６３が検知して閉成することにより、モータ６６が駆動して駆動軸に備えられたカムがロック金具５２を押し上げ対震消火装置１４を作動させることで、灯芯１２が急降下して消火すると共に、この対震消火装置１４の作動でＯＦＦスイッチ６５が開成してモータ６６の駆動を停止するものであり、又給油サイン６７が点灯されて給油を促すものである。
【００２７】
更に燃油量が少なくなっても消火させずに空炊きで灯芯１２のクリーニングを行う場合には、キャンセルスイッチ６を開成して於けば、フロートスイッチ６３が燃油量が所定値以下で閉成しても、モータ６６は駆動せず自動消火は行われずに、燃焼が継続して灯芯１２のクリーニングが行われるものであり、燃油がなくなった時に消火するように安全性を向上させたとしても、灯芯１２のクリーニングが出来、常に灯芯１２を綺麗な状態に維持し、良好な燃焼が得られるものである。
【図面の簡単な説明】
【００２８】
【図１】この発明一実施形態の斜視図。
【図２】同内部の展開斜視図。
【図３】同要部側面の説明図。
【図４】同要部正面の説明図。
【図５】同作動金具の平面図。
【図６】同重量状態の要部説明図。
【図７】同空量状態の要部説明図。
【図８】他の実施形態を示す電気回路図。
【符号の説明】
【００２９】
１０  カートリッジタンク
１２  灯芯
１４  対震消火装置
１９  燃料タンク
２２  給油口
２３  ピン
２５  弁体
２６  口金
４８  バネ
５２  ロック金具
【図１】
2007024393.tif 000003
【図２】
2007024393.tif 000004
【図３】
2007024393.tif 000005
【図４】
2007024393.tif 000006
【図５】
2007024393.tif 000007
【図６】
2007024393.tif 000008
【図７】
2007024393.tif 000009
【図８】
2007024393.tif 000010